(57)【特許請求の範囲】
【請求項１】
複数の標準地上用建物ユニットとこの標準地上用建物ユニットより高さ寸法が短い少なくとも１個の低地上用建物ユニットとを組み合わせて地上部分を形成し、地下室用建物ユニットを１個又は複数組み合わせて地下部分を形成し、前記地下室用建物ユニットの上部に前記低地上用建物ユニットを配置し、この低地上用建物ユニットに、建物外部から前記地下室用建物ユニットの内部へ光を採り入れるための採光スペースを設け、前記低地上用建物ユニットは一部が収納スペースとされ、この収納スペースと前記採光スペースとの間は間仕切り壁で仕切られ、前記採光スペースは、前記地下室用建物ユニットと前記低地上用建物ユニットとの間に形成された吹き抜け用の空間と、前記低地上用建物ユニットに形成された窓とを有することを特徴とするユニット式建物。
【請求項２】
請求項１に記載のユニット式建物において、前記低地上用建物ユニットの隣に標準地上用建物ユニットを配置し、この標準地上用建物ユニットの上部及び前記低地上用建物ユニットの上部にそれぞれ標準地上用建物ユニットを配置してスキップフロアを形成したことを特徴とするユニット式建物。
【請求項３】
請求項１または２に記載のユニット式建物において、前記低地上用建物ユニットの内部に、建物外部からの光を前記地下室用建物ユニットの内部へ反射させる反射部材を設けたことを特徴とするユニット式建物。
【発明の詳細な説明】
【０００１】
【産業上の利用分野】
本発明は、地上部分及び地下部分をそれぞれ建物ユニットから構成したユニット式建物に関するものである。
【０００２】
【背景技術】
施工期間を短縮するため、工場で製造された複数の建物ユニットを建設現場で組み合わせて建てられたユニット式建物がある。このユニット式建物では、地下室を設けるため、地下部分を建物ユニットで構成することが考えられる。
この地下室では、その内部に光を採り入れる必要があるが、従来では、建物外部の光を地下室内に採り入れるため地下室にドライエリアが設けられている。
【０００３】
【発明が解決しようとする課題】
地下室にドライエリアを設けるには、ドライエリアの分だけ敷地面積を広くしなければならない。ドライエリアを設けることなく地下室に採光するため、地下室用建物ユニットの上部に地上用建物ユニットを配置し、この地上用建物ユニットに建物外部から地下室用建物ユニットの内部へ光を採り入れるための採光スペースを設けることが考えられる。
この採光スペースは所定の大きさがあれば十分であるが、主に居室用として用いられる地上用建物ユニットを採光用のスペースのために使用することは採光用のスペース以外の無駄なスペースが生じ、場合によっては、建物の高さ制限にかかることもある。
【０００４】
本発明の目的は、ドライエリアを設けることなく地下室に必要な採光を合理的に行えるユニット式建物を提供することにある。
【０００５】
【課題を解決するための手段】
そのため、本発明は、複数の標準地上用建物ユニットとこの標準地上用建物ユニットより高さ寸法が短い少なくとも１個の低地上用建物ユニットとを組み合わせて地上部分を形成し、地下室用建物ユニットを１個又は複数組み合わせて地下部分を形成し、前記地下室用建物ユニットの上部に前記低地上用建物ユニットを配置し、この低地上用建物ユニットに、建物外部から前記地下室用建物ユニットの内部へ光を採り入れるための採光スペースを設け、前記低地上用建物ユニットは一部が収納スペースとされ、この収納スペースと前記採光スペースとの間は間仕切り壁で仕切られ、前記採光スペースは、前記地下室用建物ユニットと前記低地上用建物ユニットとの間に形成された吹き抜け用の空間と、前記低地上用建物ユニットに形成された窓とを有することを特徴とする。
【０００６】
ここで、前記低地上用建物ユニットの隣に標準地上用建物ユニットを配置し、この標準地上用建物ユニットの上部及び前記低地上用建物ユニットの上部にそれぞれ標準地上用建物ユニットを配置してスキップフロアを形成した構造でもよい。また、前記低地上用建物ユニットの内部に、建物外部からの光を前記地下室用建物ユニットの内部へ反射させる反射部材を設けたものでもよい。
【０００７】
【作用】
本発明では、標準地上用建物ユニット、低地上用建物ユニット及び地下室用建物ユニットを工場において製造し、１個又は複数個の地下室用建物ユニットを建設現場の縦穴に配置して地下室を形成する。
さらに、地下室用建物ユニット及び基礎の上に複数の標準地上用建物ユニット及び低地上用建物ユニットを組み合わせて地上部分を形成するが、地下室用建物ユニットの直上には採光スペースが設けられた低地上用建物ユニットを配置する。
低地上用建物ユニットは、標準地上用建物ユニットより高さ寸法が短いので、採光スペース以外の無駄なスペースが少なくなる。
【０００８】
ここで、前記低地上用建物ユニットの一部を収納スペースとすれば、採光用のスペース以外の無駄なスペースをより少なくすることができる。
また、前記採光スペースを、前記地下室用建物ユニットと前記低地上用建物ユニットとの間に形成された吹き抜け用の空間と、前記低地上用建物ユニットに形成された窓とを有する構成とすれば、地下室用建物ユニットと低地上用建物ユニットとから地下室空間が形成されることになり、地下室空間の高さ寸法を長くすることができる。
さらに、前記低地上用建物ユニットと標準地上用建物ユニットとからスキップフロアを形成すれば、建物の間取りを変化に富んだものにできる。
また、前記低地上用建物ユニットの内部に反射部材を設ければ、地下室内への採光が効率的に行える。
【０００９】
【実施例】
以下、本発明の実施例を図面に基づいて詳細に説明する。ここで、各実施例中、同一構成要素は同一符号を付して説明を省略又は簡略にする。
図１は本発明の第１実施例のユニット式建物の概略構成を示す水平断面図である。
図１に示される通り、縦穴１には擁壁２及び深基礎３が現場打ちコンクリートから形成され、この深基礎３の上には地下室用建物ユニット４が複数個（図１では１個のみ示す）設けられて地下部分が形成されている。
これらの地下室用建物ユニット４と地上の布基礎５との上には複数の低地上用建物ユニット６（図１では２個示す）が同じ高さ位置で配置されている。これらの低地上用建物ユニット６の上には標準地上用建物ユニット７が複数個（図１では２個示す）並べて配置され、これらの標準地上用建物ユニット７の上に屋根８が設けられている。これらの地上用建物ユニット６，７及び屋根８からユニット式建物の地上部分が形成されている。
【００１０】
地下室用建物ユニット４は、柱１０、下梁１１及び上梁１２から箱型に形成された骨組み１３に床面材１４、天井面材１５及び内壁材１６を取り付けて構成され、内部には建物の地上部分と連絡するための図示しない階段が設けられている。
標準地上用建物ユニット７は、前記地下室用建物ユニット４の骨組み１３に前記床面材１４、前記天井面材１５、前記内壁材１６及び外壁材１７を取り付けて構成されている。この外壁材１７は軽量気泡コンクリート（ＡＬＣ）から形成されている。
低地上用建物ユニット６は、柱１８、前記下梁１１及び前記上梁１２から箱型に形成された骨組み１９に前記床面材１４、前記天井面材１５、内壁材２０及び外壁材２１を取り付けて構成され、この外壁材２１は軽量気泡コンクリート（ＡＬＣ）から形成されている。この低地上用建物ユニット６は、その縦横寸法が前記標準地上用建物ユニット７の縦横寸法と等しいが、高さ寸法が標準地上用建物ユニット７の高さ寸法より短く形成されている。
【００１１】
地下室用建物ユニット４の直上に配置された低地上用建物ユニット６には採光スペース２２と収納スペース２３とが形成され、この低地上用建物ユニット６の隣に配置された低地上用建物ユニット６は、前記収納スペース２３と連続した収納スペース２４とされている。従って、隣合う低地上用建物ユニット６の境界部分には内壁材２０は設けられておらず、低地上用建物ユニット６と標準地上用建物ユニット７との間には荷物を出し入れするための図示しない開口部が設けられている。
採光スペース２２と収納スペース２３との間は間仕切り壁２５で仕切られており、この間仕切り壁２５は上下端が天井面材１５と床面材１４とに接合された板材から構成されている。
【００１２】
採光スペース２２は、建物外部から地下室用建物ユニット４の内部へ光を採り入れるためのものであり、地下室用建物ユニット４と低地上用建物ユニット６との間に形成された吹き抜け用の空間２６と、地下室用建物ユニット４の直上に配置された低地上用建物ユニット６に形成された窓２７とを有する構成である。従って、吹き抜け用の空間２６を形成するため、地下室用建物ユニット４の天井面材１５と低地上用建物ユニット６の床面材１４とは、それぞれ一部が欠損されており、窓２７を形成するため、低地上用建物ユニット６には外壁材２１が設けられていない。
窓２７には図示しないガラス戸が設けられ、このガラス戸は必要に応じて開閉可能とされている。
【００１３】
このように構成されたユニット式建物を施工するには、まず、標準地上用建物ユニット７、低地上用建物ユニット６及び地下室用建物ユニット４を工場において製造し、これらのユニット４，６，７を建設現場まで搬送する。
建設現場では、縦穴１に擁壁２、深基礎３及び布基礎５を現場打ちコンクリートで形成しておき、深基礎３の上にクレーン等を利用し地下室用建物ユニット４を配置して地下部分を形成する。
地下室用建物ユニット４及び布基礎５の上にそれぞれ低地上用建物ユニット６を配置し、これらの低地上用建物ユニット６の上に標準地上用建物ユニット７をそれぞれ配置し、さらに、これらの標準地上用建物ユニット７の上に屋根８を設けて地上部分を形成する。ここで、地下室用建物ユニット４の直上に配置されるのは、採光スペース２２が設けられたものである。
【００１４】
従って、第１実施例によれば、▲１▼複数の標準地上用建物ユニット７と低地上用建物ユニット６とを組み合わせて地上部分を形成し、地下室用建物ユニット４から地下部分を形成し、地下室用建物ユニット４の上部に建物外部から地下室用建物ユニット４の内部へ光を採り入れるための採光スペース２２が設けられた低地上用建物ユニット６を配置したから、ドライエリアを設けることなく地下室内部への採光が行え、しかも、低地上用建物ユニット６は標準地上用建物ユニット７より高さ寸法が短いので、採光用のスペース以外の無駄なスペースが少なくなり、地下室に必要な採光を合理的に行える。
また、第１実施例では、▲２▼低地上用建物ユニット４の一部を収納スペース２３としたから、採光用のスペース以外の無駄なスペースをより少なくして地下室に必要な採光をより合理的に行える。
【００１５】
また、▲３▼地下室用建物ユニット４の上に配置された低地上用建物ユニット４の一部だけでなく布基礎５との上に配置された低地上用建物ユニット４も収納スペース２４としたから、ユニット式建物に連続した大きな収納スペースを形成できる。
さらに、▲４▼前記採光スペース２２を、地下室用建物ユニット４及び低地上用建物ユニット６の間に形成された吹き抜け用の空間２６と、地下室用建物ユニット４の直上に配置された低地上用建物ユニット６に形成された窓２７とを有する構成にしたから、これらのユニット４，６から地下室空間が形成されることになり、地下室空間の高さ寸法を長くすることができる。
【００１６】
次に、本発明の第２実施例を図２に基づいて説明する。図２は第２実施例のユニット式建物の概略構成を示す水平断面図である。
第２実施例は、建物の地上部分をスキップフロアにするため、布基礎５の上に前記低地上用建物ユニット６に代えて標準地上用建物ユニット７を配置した点が第１実施例と相違するが、他の構成は第１実施例と同じである。
図２において、前記深基礎３の上には前記地下室用建物ユニット４が配置され、地下室用建物ユニット４の直上には前記低地上用建物ユニット６が配置されている。この低地上用建物ユニット６の隣には標準地上用建物ユニット７が配置され、この標準地上用建物ユニット７の上部及び低地上用建物ユニット６の上部にはそれぞれ標準地上用建物ユニット７が配置されている。
【００１７】
これらの標準地上用建物ユニット７は、それぞれ高さ位置が相違するため、スキップフロアとされており、高さ位置の相違する標準地上用建物ユニット７の間を昇降するために、図示しない階段が各標準地上用建物ユニット７に設けられている。
前記低地上用建物ユニット６には前記採光スペース２２及び前記収納スペース２３が形成されており、これらのスペース２２，２３は前記間仕切り壁２５で仕切られている。前記低地上用建物ユニット６とこの低地上用建物ユニット６の隣の標準地上用建物ユニット７との間には荷物を出し入れするための開口部２８が設けられている。この開口部２８を設けるため、前記標準地上用建物ユニット７の前記内壁材１６の下部は欠損されている。
【００１８】
従って、第２実施例では、前記第１実施例の効果▲１▼▲２▼▲４▼と同様の効果を奏することができる他に次の効果も奏することができる。即ち、第２実施例では、低地上用建物ユニット６の隣に標準地上用建物ユニット７を配置し、この標準地上用建物ユニット７の上部及び低地上用建物ユニット６の上部にそれぞれ標準地上用建物ユニット７を配置してスキップフロアを形成したから、建物の間取りを変化に富んだものにできる。
【００１９】
次に、本発明の第３実施例を図３に基づいて説明する。図３は第３実施例のユニット式建物の概略構成を示す水平断面図である。
第３実施例は、地下室用建物ユニット４の直上に配置された低地上用建物ユニット６の内部に反射部材を設けた点が第１実施例と相違するが、他の構成は第１実施例と同じである。
図３において、前記深基礎３の上には前記地下室用建物ユニット４が配置され、地下室用建物ユニット４と布基礎５との上には前記低地上用建物ユニット６が配置され、これらの低地上用建物ユニット６の上にはそれぞれ標準地上用建物ユニット７が配置されている。
【００２０】
地下室用建物ユニット４の直上に配置された低地上用建物ユニット６には、前記採光スペース２２と前記収納スペース２３とが形成され、これらの採光スペース２２と収納スペース２３との間は建物外部からの光を地下室用建物ユニット４の内部へ反射させる反射部材２９で仕切られている。
反射部材２９は上下端が天井面材１５と床面材１４とに所定の角度α（０度＜α＜９０度）をもって接合された平板状の鏡から構成されている。なお、この反射部材２９の形状は平板状に限定されるものではなく、例えば、曲面状や光を乱反射させるための複数の凹凸形状であってもよい。
従って、第３実施例では、前記第１実施例の効果▲１▼▲２▼▲３▼▲４▼と同様の効果を奏することができる他に次の効果も奏することができる。即ち、第３実施例では、低地上用建物ユニット６の内部に反射部材２９を設けたから、地下室内への採光が効率的に行える。
【００２１】
なお、本発明は前述の各実施例に限定されるものではなく、本発明の目的を達成できる範囲であれば次に示す変形例を含むものである。
例えば、前記各実施例では、複数個の地下室用建物ユニット４から地下室を構成したが、本発明では、地下室を構成する地下室用建物ユニット３の数は１個であってもよい。
また、各建物ユニットを柱及び梁から骨組みを有する構造としたが、壁パネル、天井パネル及び床パネルからなる骨組みを有する建物ユニットであってもよい。
【００２２】
また、採光スペース２２を形成するにあたり、地下室用建物ユニット４と低地上用建物ユニット６との間に形成された吹き抜け用の空間２６に代えて地下室用建物ユニット４と低地上用建物ユニット６との間の天井面材１５及び床面材１４に光を採り入れるための複数の窓を形成してもよい。さらに、地下室用建物ユニット４の直上の低地上用建物ユニット６に外壁材及びこの外壁材に隣接する内壁材を設け、これらの外壁材及び内壁材に複数の孔を設け、これらの孔を前記窓２７の代わりとしてもよい。さらに、地下室用建物ユニット４と標準地上用建物ユニット７との高さ寸法を相違させてもよい。
【００２３】
【発明の効果】
以上の通り、本発明によれば、複数の標準地上用建物ユニットとこの標準地上用建物ユニットより高さ寸法が短い少なくとも１個の低地上用建物ユニットとを組み合わせて地上部分を形成し、地下室用建物ユニットを１個又は複数組み合わせて地下部分を形成し、前記地下室用建物ユニットの上部に前記低地上用建物ユニットを配置し、この低地上用建物ユニットに、建物外部から前記地下室用建物ユニットの内部へ光を採り入れるための採光スペースを設けたから、ドライエリアを設けることなく地下室に必要な採光を合理的に行える。
【図面の簡単な説明】
【図１】本発明の第１実施例に係るユニット式建物の概略構成を示す縦断面図である。
【図２】本発明の第２実施例に係るユニット式建物の概略構成を示す縦断面図である。
【図３】本発明の第３実施例に係るユニット式建物の概略構成を示す縦断面図である。
【符号の説明】
４      地下室用建物ユニット
６      低地上用建物ユニット
７      標準地上用建物ユニット
２２    採光スペース
２３    収納スペース
２６    吹き抜け用の空間
２７    窓
２９    反射部材
【図１】
0003571089.tif 000002
【図２】
0003571089.tif 000003
【図３】
0003571089.tif 000004